(57)【要約】【課題】気体または微細な液体の脱臭成分を送風により室内に拡散し、空気を清浄にすることを課題とする。【解決手段】枠体１と、気化フィルター２と巻き取りモータ３から成り、上記枠体１は、上部に開口部１ａを、側部に、送り出し部１ｂと巻き取り部１ｃを有する。前記気化フィルター２を巻き取りモータ３により巻き取る構造から成る。前記記送り出し部１ｂに脱臭剤溶液４を充填し、前記脱臭剤溶液４に上記気化フィルター２が接触する構造から成る。接触した際に脱臭剤溶液４を吸収し、巻き取りモータ３により開口部１ａに移動した際、気化し室内に脱臭成分が放出される。脱臭剤は対象悪臭により選択する。【選択図】図２
2008092997.tif 000002
【特許請求の範囲】
【請求項１】
枠体を備え、前記枠体上部に開口部を設け、中和反応またはマスキング反応を行う脱臭剤と気化を促進する気化剤を混合し、添着した気化フィルターを備え、前記気化フィルターは空気に暴露する部分と空気に暴露しない部分を設け、前記空気に暴露しない部分から前記空気に暴露する部分に移動する機構を備えたことを特徴とする脱臭装置。
【請求項２】
前記枠体内のタンクに脱臭機能を有する脱臭溶液を充填し、それに気化フィルターを含浸する事を特徴とする請求項１記載の脱臭装置。
【請求項３】
気化フィルターに含まれる溶液の気化に、熱源を用いることを特徴とする請求項２記載の脱臭装置。
【請求項４】
気化フィルターを回転ベルト形状とすることを特徴とする請求項２記載の脱臭装置。
【請求項５】
開口部にシャッター機構を設けたことを特徴とする請求項１又は２に記載の脱臭装置。
【請求項６】
臭いセンサーを設け、シャッター機構の開閉を臭いの強さにより行うことを特徴とする請求項５記載の脱臭装置。
【請求項７】
臭いセンサーを設け、シャッター機構の開度を臭いの強さにより調整することを特徴とする請求項５記載の脱臭装置。
【請求項８】
臭いセンサーを設け、熱源の入り切りを臭いの強さにより行うことを特徴とする請求項３記載の脱臭装置。
【請求項９】
臭いセンサーを設け、熱源の入力調整を臭いの強さにより行うことを特徴とする請求項３記載の脱臭装置。
【請求項１０】
外部から液を供給するタンクを設けたことを特徴とする請求項２記載の装置。
【請求項１１】
脱臭液を滴下する滴下手段を設ける事を特徴とする請求項１記載の脱臭装置。
【請求項１２】
臭いセンサーを設け、滴下手段による滴下量を臭いの強さにより行うことを特徴とする請求項１１記載の脱臭装置。
【請求項１３】
脱臭液を滴下する滴下手段を複数有する事を特徴とする請求項１１記載の脱臭装置。
【請求項１４】
香料入りの脱臭液を滴下する香料滴下手段と香料の臭いを消す液を滴下する消臭液滴下手段を有する事を特徴とする請求項１３記載の脱臭装置。
【請求項１５】
香料入りの脱臭液を香料滴下手段により滴下するタイミングと香料の臭いを消す液を消臭液滴下手段滴下により滴下するタイミングまたは間隔をタイマーにより制御することを特徴とする請求項１４記載の脱臭装置。
【請求項１６】
香料入りの脱臭液を香料滴下手段により滴下するタイミングと香料の臭いを消す液を消臭液滴下手段滴下により滴下するタイミングを臭いセンサーにより臭いの強度で制御することを特徴とする請求項１４記載の脱臭装置。
【請求項１７】
請求項１または２記載の脱臭装置を複数平行に並べた事を特徴とする脱臭装置。
【請求項１８】
臭いセンサーを設け、熱源の入力調整を１／ｆゆらぎ制御を用いて行うことを特徴とする請求項３記載の脱臭装置。
【請求項１９】
空気を送風する送風機を設け、気化フィルターから気化した脱臭剤を前記送風機により拡散させ、前記送風機の風量調整を１／ｆゆらぎ制御を用いて行うことを特徴とする請求項１または２記載の脱臭装置。
【請求項２０】
回転ベルト表面の吸着面の厚さパターンを１／ｆゆらぎパターンにすることを特徴とする請求項４記載の脱臭装置。
【発明の詳細な説明】
【技術分野】
【０００１】
本発明は、室内の臭気の除去、マスキングのために、気体及び微細な液体を空気中に拡散する装置に係わる。
【背景技術】
【０００２】
従来、この種の気化装置は屋内の悪臭を除去するために、ポンプ、送風機を使用して強制的に液体の噴霧を行っているものが知られている（例えば、特開平１１−２４４３６８参照）。
【０００３】
以下、その気化器について図２１を参照しながら説明する。図に示すよう本体１０１は正面中央に開口部１０２を設け、薬液を含浸させた気化テープ１０３と駆動部１０４からなる。送風により開口部１０２より強制的に薬液を室内に噴霧し、一定時間毎に気化テープ１０３を駆動部１０４により巻き取っている。
【特許文献１】特開平１１−２４４３６８号公報
【発明の開示】
【発明が解決しようとする課題】
【０００４】
このような従来の気化器では、風を直接脱臭液に当てるため、フィルターから脱臭液の剥離が多くなり、脱臭溶液の使用量が多く、装置の大型化、液補給頻度が多いという課題があり、使用量の削減することが要求されている。
【０００５】
また、フィルターの直接風を当てることにより、液滴が大きくなり拡散距離が短く、成分の拡散が不十分という課題があり、均一に室内に拡散することが要求されている。
【０００６】
本発明は、このような従来の課題を解決するものであり、脱臭溶液の使用量の削減し使用することができ、また、脱臭剤が効率的に拡散することのできる脱臭装置を提供することを目的としている。
【課題を解決するための手段】
【０００７】
本発明の脱臭装置は上記目的を達成するために、枠体を備え、前記枠体上部に開口部を設け、中和反応またはマスキング反応を行う脱臭剤と気化を促進する気化剤を混合し、添着した気化フィルターを備え、前記気化フィルターは空気に暴露する部分と空気に暴露しない部分を設け、前記空気に暴露しない部分から前記空気に暴露する部分に移動する機構を備えたとしたものである。
【０００８】
この手段により、気化フィルターに臭いを中和またはマスキングをする脱臭剤と脱臭剤の気化を補助する気化剤を添着したことで、脱臭剤と気化剤の混合添着により気化剤の気化につれて気化剤についている脱臭剤も気化し、気化剤により気化フィルターからの脱臭剤の気化が促進され、また、気化フィルターの空気に曝露する部分での脱臭剤の気化が進み、脱臭剤の気化が終了すると、気化フィルターの空気に暴露しない部分から空気に暴露する部分に移動して、次々に脱臭剤の気化が行われることになり、気化フィルターにより気化した脱臭成分が間接的な気流により室内全体に均一に拡散され、効率的に臭気成分と反応し脱臭する脱臭装置が得られる。
【０００９】
また他の手段は、気化フィルターが脱臭剤溶液に接触し、吸い上げたものを気化または微細化水滴化したものを間接的な気流により拡散されるものである。
【００１０】
この手段により効率的に臭気と反応することができ、また、室内全体に均一に拡散できる気化器が得られる。
【００１１】
また他の手段は、気化フィルターに含まれる溶液の気化に、熱源を用いたものである。
【００１２】
この手段により、気化フィルターの熱源による加熱で、気化フィルターからの脱臭剤の気化の速度を上げることができ、また、常温で気化し難い脱臭剤が使用でき、使用できる脱臭剤の範囲が広がる。
【００１３】
また他の手段は、気化フィルターを回転ベルト形状にしたものである。
【００１４】
この手段により気化フィルターの小型化でき、装置の小型化が図れる気化器を得られる。
【００１５】
また他の手段は、開口部にシャッター機構を設けたものである。
【００１６】
この手段により脱臭の必要の無いときは気化を抑えられるため、効率的に気化できる気化器が得られる。
【００１７】
また他の手段は、臭いセンサーを設け開口部のシャッター機構の開閉を臭気の強度で行うものである。
【００１８】
この手段により悪臭の無いときは気化を抑えられるため、効率的に気化できる脱臭装置が得られる。
【００１９】
また他の手段は、臭いセンサーを設け開口部のシャッター機構の開度調整を臭気の強度で行うものである。
【００２０】
この手段により悪臭の強いときは多量に気化し、弱いときは少量に気化するため、効率的に気化できる脱臭装置が得られる。
【００２１】
また他の手段は、臭いセンサーを設け熱源の入り切りを臭気の強度で行うものである。
【００２２】
この手段により悪臭の無いときは気化を抑えられるため、効率的に気化できる脱臭装置が得られる。
【００２３】
また他の手段は、臭いセンサーを設け熱源の入力調整を臭気の強度で行うものである。
【００２４】
この手段により悪臭の強いときは多量に気化し、弱いときは少量に気化するため、効率的に気化できる脱臭装置が得られる。
【００２５】
また他の手段は、脱臭溶液を外部から供給を行うものである。
【００２６】
この手段により枠体内に貯蓄する液が少量でよい為、装置の小型化ができる脱臭装置が得られる。
【００２７】
また他の手段は、脱臭溶液を外部から滴下を行うものである。
【００２８】
この手段により枠体内に液を貯蓄する必要が無いため、装置の小型化ができる脱臭装置が得られる。
【００２９】
また他の手段は、臭いセンサーを設け滴下の調整を臭気の強度で行うものである。
【００３０】
この手段により悪臭の強いときは多量に滴下し、弱いときは少量に滴下するため、効率的に気化できる脱臭装置が得られる。
【００３１】
また他の手段は、複数の滴下装置を設けるものである。
【００３２】
この手段により複数の臭気により効率的な脱臭溶液を選択することが可能となり、効率的に脱臭できる脱臭装置が得られる。
【００３３】
また他の手段は、香料入り溶液の滴下装置とその香料の臭いを消す溶液入りの滴下装置を設けるものである。
【００３４】
この手段により香料により感応的脱臭を行った後、その臭いを効率的消臭することにより臭いに対する慣れを防ぐことのできる脱臭装置が得られる。
【００３５】
また他の手段は、香料入り溶液の滴下装置とその香料の臭いを消す溶液入りの滴下装置の滴下タイミングをタイマーで行うものである。
【００３６】
この手段により香料により感応的脱臭を行った後、その臭いを効率的消臭することにより臭いに対する慣れを防ぐことのできる脱臭装置が得られる。
【００３７】
また他の手段は、臭いセンサーを設け香料入り溶液の滴下装置とその香料の臭いを消す溶液入りの滴下装置の滴下タイミングを臭いの強さで行うものである。
【００３８】
この手段により香料により感応的脱臭を行った後、その臭いをセンサーで確認し効率のよい比率で消臭することにより液使用量が最適な脱臭装置が得られる。
【００３９】
また他の手段は、脱臭装置を平行で設置するものである。
【００４０】
この手段により酸性の溶液と塩基性の溶液など混合が出来ないものも使用可能な脱臭装置が得られる。
【００４１】
また他の手段は、熱源の入力制御を１／ｆゆらぎ制御で行うものである。
【００４２】
この手段により心地よい感応的脱臭ができる脱臭装置が得られる。
【００４３】
また他の手段は、送風機を設け制御を１／ｆゆらぎ制御で行うものである。
【００４４】
この手段により心地よい感応的脱臭ができる脱臭装置が得られる。
【００４５】
また他の手段は、回転ベルト表面の吸着面を１／ｆゆらぎパターンにするものである。
【００４６】
この手段により心地よい感応的脱臭ができる脱臭装置が得られる。
【発明の効果】
【００４７】
本発明によれば少量の脱臭剤で脱臭できるという効果のある脱臭装置を提供できる。
【００４８】
また、脱臭剤の室内の拡散効率的に行える。
【発明を実施するための最良の形態】
【００４９】
本発明の請求項１記載の発明は枠体を備え、前記枠体上部に開口部を設け、中和反応またはマスキング反応を行う脱臭剤と気化を促進する気化剤を混合し、添着した気化フィルターを備え、前記気化フィルターは空気に暴露する部分と空気に暴露しない部分を設け、前記空気に暴露しない部分から前記空気に暴露する部分に移動する機構を備えたとしたものであり、効率的に臭気と反応することができ、また、室内全体に早急に拡散し脱臭できるという作用を有する。
【００５０】
また、枠体上部に開口部を設け、枠体内のタンクに消臭機能を有する溶液を充填し、それに気化フィルターを含浸する。上記気化フィルターを自動で送る機構を有する事を特徴としたものであり、この手段により効率的に臭気と反応することができ、また、室内全体に早急に拡散することができる。
【００５１】
また、気化フィルターに含まれる脱臭溶液の気化に、脱臭溶液を加熱する熱源を用いることを特徴としたものであり、この手段により気化の速度を上げることができ、また、使用できる脱臭剤の範囲が広がることとなる。
【００５２】
また、気化フィルターを回転ベルト形状とすることを特徴としたものであり、この手段により気化フィルターの小型化でき、装置の小型化が図ることができる。
【００５３】
また、脱臭装置の開口部にシャッター機構を設けたことを特徴としたものであり、この手段により脱臭の必要の無いときは気化を抑えられるため、効率的に気化し、脱臭することができる。
【００５４】
また、臭いセンサーを設け、シャッター機構の開閉を臭いの強さにより行うことを特徴としたものであり、この手段により悪臭の無いときは気化を抑えられるため、効率的に気化し、脱臭することができる。
【００５５】
また、臭いセンサーを設け、シャッター機構の開度を臭いの強さにより調整することを特徴としたものであり、この手段により悪臭の強いときは多量に気化し、弱いときは少量に気化するため、効率的に気化し、脱臭することができる。
【００５６】
また、臭いセンサーを設け熱源の入り切りを臭気の強度で行うことを特徴としたものであり、この手段により悪臭の無いときは気化を抑えられるため、効率的に気化し、脱臭することができる。
【００５７】
また、臭いセンサーを設け熱源の入力調整を臭気の強度で行うことを特徴としたものであり、この手段により悪臭の強いときは多量に気化し、弱いときは少量に気化するため、効率的に気化し、脱臭することができる。
【００５８】
また、脱臭溶液を外部から供給を行うことを特徴としたものであり、この手段により枠体内に貯蓄する液が少量でよい為、装置の小型化することができる。
【００５９】
また、脱臭溶液を外部から滴下を行うことを特徴としたものであり、この手段により枠体内に液を貯蓄する必要が無いため、装置の小型化することができる。
【００６０】
また、臭いセンサーを設け滴下の調整を臭気の強度で行うことを特徴としたものであり、この手段により悪臭の強いときは多量に滴下し、弱いときは少量に滴下するため、効率的に気化し、脱臭することができる。
【００６１】
また、複数の滴下装置を設けることを特徴としたものであり、この手段により複数の臭気により効率的な脱臭溶液を選択することが可能となり、効率的に脱臭することができる。
【００６２】
また、香料入り溶液の滴下装置とその香料の臭いを消す溶液入りの滴下装置を設けることを特徴としたものであり、この手段により香料により感応的脱臭を行った後、その臭いを効率的消臭することにより臭いに対する慣れを防ぐことができる。
【００６３】
また、香料入り溶液の滴下装置とその香料の臭いを消す溶液入りの滴下装置の滴下タイミングをタイマーで行うことを特徴としたものであり、この手段により香料により感応的脱臭を行った後、その臭いを効率的消臭することにより臭いに対する慣れを防ぐことができる。
【００６４】
また、臭いセンサーを設け香料入り溶液の滴下装置とその香料の臭いを消す溶液入りの滴下装置の滴下タイミングを臭いの強さで行うことを特徴としたものであり、この手段により香料により感応的脱臭を行った後、その臭いをセンサーで確認し効率のよい比率で消臭することにより液使用量を最適にできる。
【００６５】
また、脱臭装置を平行で設置することを特徴としたものであり、この手段により酸性の溶液と塩基性の溶液など混合が出来ないものも使用可能とできる。
【００６６】
また、熱源の入力制御を１／ｆゆらぎ制御で行うことを特徴とするものであり、この手段により心地よい感応的脱臭ができる。
【００６７】
また、送風機を設け制御を１／ｆゆらぎ制御で行うことを特徴とするものであり、この手段により心地よい感応的脱臭ができる。
【００６８】
また、回転ベルト表面の吸着面を１／ｆゆらぎパターンにすることを特徴とするものであり、この手段により心地よい感応的脱臭ができる。
【実施例】
【００６９】
以下、本発明の実施の形態について図面を参照しながら説明する。
【００７０】
（実施の形態１）
本発明の脱臭装置は図１に示すように、枠体１と、気化フィルター２と駆動部としての巻き取りモータ３を備え、上記枠体１は、上部に開口部１ａを、側部に、送り出し部１ｂと巻き取り部１ｃを有する。中和もしくはマスキングを行う脱臭剤１５と脱臭剤１５の気化を補助、促進する気化剤１６からなる脱臭成分１７を混合添着した上記気化フィルター２を駆動部としての巻き取りモータ３により巻き取る構造から成る。気化フィルター２に添着する脱臭剤１５は対象悪臭により選択する。たとえば、脱臭剤１５はフィトンチッドなどの自然抽出成分、脂肪族のアルデヒド、ケトンなどを使用する。気化剤１６は、パラクロロメタキシレートなどを使用する。気化フィルター２の材質はポリエステル、ポリプロピレンの不織布を用いることができる。
【００７１】
上記構成により、気化フィルター２に臭いを中和またはマスキングをする脱臭剤１５と脱臭剤１５の気化を補助、促進する気化剤１６を添着したことで、脱臭剤１５と気化剤１６の混合添着により、気化剤１６の気化につれて気化剤１６についている脱臭剤１５も気化することなり、気化剤１６により気化フィルター２からの脱臭剤１５の気化が促進され室内脱臭が行われることとなる。
【００７２】
気化フィルター２の空気に曝露する部分１９での脱臭剤１５の気化が進み、脱臭剤１５の気化が終了すると、気化フィルター２の空気に暴露しない部分１８から空気に暴露する部分１９に移動する機構としての巻き取りモータ３により、気化フィルター２が巻き取られ、気化フィルター２が気化フィルター２の空気に暴露しない部分１８から気化フィルター２の空気に暴露する部分１９に移動して、次々に脱臭剤１５の気化が行われることになり、気化フィルター２により気化した脱臭成分１７が間接的な気流により室内全体に均一に拡散され、効率的に臭気成分と反応し脱臭する脱臭装置が得られる。気化フィルター２の移動は、開口部１ａの横幅毎が効率的である。
【００７３】
気化フィルター２の空気に暴露しない部分１８から、空気に暴露する部分１９に移動する機構としては、巻き取りモータ３としたが、空気に暴露しない部分から、空気に暴露する部分に移動できれば、他の方法でもよい。
【００７４】
（実施の形態２）
実施の形態１と同一部分は同一符号を付し詳細な説明は省略する。
【００７５】
図２に示すように、上記送り出し部１ｂに脱臭剤溶液４を充填し、上記脱臭剤溶液４に上記気化フィルター２が接触する構造から成る。接触した際に脱臭剤溶液４を吸収し、駆動部としての巻き取りモータ３により開口部１ａに移動した際、気化し室内に脱臭成分１７が放出される。
【００７６】
（実施の形態３）
実施の形態１または実施の形態２と同一部分は同一符号を付し詳細な説明は省略する。
【００７７】
図３に示すように、上記枠体１の開口部１ａ近傍に熱源５を配置し、熱により上記気化フィルター２に吸着された脱臭溶液４の気化を促進する。熱源には、セラミックヒーター、シーズヒーターなどを用いる。
【００７８】
（実施の形態４）
実施の形態１乃至３のいずれかと同一部分は同一符号を付し詳細な説明は省略する。
【００７９】
図４に示すように、上記気化フィルター２を回転ベルト形状にし、ベルト交換が不要と成る。また、気化フィルター２の使用量が減少するため、装置の小型化が図れる。
【００８０】
（実施の形態５）
実施の形態１乃至４のいずれかと同一部分は同一符号を付し詳細な説明は省略する。
【００８１】
図５に示すように、上記枠体１の開口部１ａの外部にシャッター６を配置する。シャッター６が閉まっている時は、脱臭溶液４の気化が抑制され、無駄な使用が減少する。
【００８２】
（実施の形態６）
実施の形態１乃至５のいずれかと同一部分は同一符号を付し詳細な説明は省略する。
【００８３】
図６に示すように、枠体１外部または、装置から離れた屋内に臭いセンサー７を設置する。一定量の臭いを感知した場合、シャッター６を開き脱臭剤溶液４を放出し、一定量以下の臭いになれば、シャッター６を閉めることにより効率的に脱臭を行う。臭いセンサーは半導体式ガスセンサーなどがある。
【００８４】
（実施の形態７）
実施の形態１乃至６のいずれかと同一部分は同一符号を付し詳細な説明は省略する。
【００８５】
図７に示すように、臭いセンサー７による臭いの強度の数値によりシャッター６の開度を調節する。
【００８６】
（実施の形態８）
実施の形態１乃至７のいずれかと同一部分は同一符号を付し詳細な説明は省略する。
【００８７】
図８に示すように、枠体１外部または、装置から離れた屋内に臭いセンサー７を設置する。一定量の臭いを感知した場合、熱源５を入力し脱臭剤溶液４を放出し、一定量以下の臭いになれば、熱源５止めることにより効率的に脱臭を行う。
【００８８】
（実施の形態９）
実施の形態１乃至８のいずれかと同一部分は同一符号を付し詳細な説明は省略する。
【００８９】
図９に示すように、臭いセンサー７による臭いの強度の数値により熱源５の入力を調節する。
【００９０】
（実施の形態１０）
実施の形態１乃至９のいずれかと同一部分は同一符号を付し詳細な説明は省略する。
【００９１】
図１０に示すように、枠体１の外部に供給タンク８を配し、送り出し部１ｂに脱臭溶液４を供給する。枠体１内の脱臭溶液４を使い切っても、供給タンク８より供給することにより、装置の寿命が延びる。また、枠体１内に脱臭溶液４を蓄積する量が少量で良いので、装置の小型化が図れる。
【００９２】
（実施の形態１１）
実施の形態１乃至１０のいずれかと同一部分は同一符号を付し詳細な説明は省略する。
【００９３】
図１１に示すように、枠体１の上部に第２開口部１ｄを設け、上記第２開口部１ｄ上部に滴下装置９を配する。滴下装置９より、第２開口部１ｄを通過し、気化フィルター２に脱臭溶液４を滴下する。枠体１内に脱臭剤溶液４を蓄積する量が少量で良いので、装置の小型化が図れる。また、開口部１ａと第２開口部１ｄは同じ場所でも良い。
【００９４】
（実施の形態１２）
実施の形態１乃至１１のいずれかと同一部分は同一符号を付し詳細な説明は省略する。
【００９５】
図１２に示すように、枠体１外部または、装置から離れた屋内に臭いセンサー７を設置する。臭いの強度により滴下装置９からの脱臭剤溶液４の滴下量を電磁弁の制御により調節する。
【００９６】
（実施の形態１３）
実施の形態１乃至１２のいずれかと同一部分は同一符号を付し詳細な説明は省略する。
【００９７】
図１３に示すように、枠体１の上部に第２開口部１ｄを設け、上記第２開口部１ｄ上部に滴下装置９および第２滴下装置１０を配する。滴下装置９および第２滴下装置１０より、第２開口部１ｄを通過し、気化フィルター２に脱臭剤溶液４を滴下する。複数の種類の異なる臭気に選択的に対応が可能となる。２つ以上の滴下装置でも良い。
【００９８】
（実施の形態１４）
実施の形態１乃至１３のいずれかと同一部分は同一符号を付し詳細な説明は省略する。
【００９９】
図１４に示すように、香りのついたガスを拡散させる場合、長時間同じ臭いに暴露されていると、感覚が麻痺して香りを認識しなくなる。そのため滴下装置９より芳香成分入り溶液１１を滴下した後、第２滴下装置１０より消臭成分入り溶液１２を滴下する。２つ以上の芳香成分入り溶液を滴下する場合、臭気が混ざる問題を解決できる。香りのついたガスとしては、リラックス効果のあるセドロースまたはα−ピネンまたはヘキセノールまたは酢酸リナリルを用いることができる。
【０１００】
（実施の形態１５）
実施の形態１乃至１４のいずれかと同一部分は同一符号を付し詳細な説明は省略する。
【０１０１】
図１５に示すように、滴下装置９より芳香成分入り溶液１１を滴下した後、第２滴下装置１０より消臭成分入り溶液１２を滴下するタイミングをタイマー１３により時間で調整を行う。感覚的に麻痺をする前に消臭するため、感応的な効果が長時間持続する。
【０１０２】
（実施の形態１６）
実施の形態１乃至１５のいずれかと同一部分は同一符号を付し詳細な説明は省略する。
【０１０３】
図１６に示すように、枠体１外部または、装置から離れた屋内に臭いセンサー７を設置する。一定量以下の芳香成分の臭いになれば、消臭成分を滴下する。最適な量での反応を起こすことができるようになる。
【０１０４】
（実施の形態１７）
実施の形態１乃至１６のいずれかと同一部分は同一符号を付し詳細な説明は省略する。
【０１０５】
図１７に示すように、上記脱臭装置Ａを２つ以上配して成る、脱臭装置Ｂ。たとえば、酸性ガスと塩基性ガス対応の溶液など、混在が困難な脱臭溶液など、効果的に脱臭できるようになる。
【０１０６】
（実施の形態１８）
実施の形態１乃至１７のいずれかと同一部分は同一符号を付し詳細な説明は省略する。
【０１０７】
図１８に示すように、脱臭剤溶液４を気化させる熱源５の入力制御を１／ｆゆらぎ制御を用いて行う。感応的に高い効果が得られえる。
【０１０８】
（実施の形態１９）
実施の形態１乃至１８のいずれかと同一部分は同一符号を付し詳細な説明は省略する。
【０１０９】
図１９に示すように、脱臭装置Ａに送風機１４を設け、上記送風機１４の入力調整を１／ｆゆらぎ制御を用いて行う。感応的に高い効果が得られえる。送風機はシロッコファン、プロペラファン、クロスフローファンを用いることができる。
【０１１０】
（実施の形態２０）
実施の形態１乃至１９のいずれかと同一部分は同一符号を付し詳細な説明は省略する。
【０１１１】
図２０に示すように、回転ベルト形状の気化フィルター２の表面の吸着面２ａの厚さパターンを変え、凹凸を作り１／ｆゆらぎパターンにすることにより、脱臭溶液４の保持量を変え、脱臭溶液４の気化のパターンを１／ｆゆらぎとする。複雑な制御回路を必要とせずに、感応的効果を得られる。
【産業上の利用可能性】
【０１１２】
脱臭溶液の使用量の削減し使用することができ、また、効率的に拡散することのできる気化器を提供することができる。
【図面の簡単な説明】
【０１１３】
【図１】本発明の実施の形態１の脱臭装置の概略構成図
【図２】本発明の実施の形態２の脱臭装置の概略構成図
【図３】本発明の実施の形態３の脱臭装置の概略構成図
【図４】本発明の実施の形態４の脱臭装置の概略構成図
【図５】本発明の実施の形態５の脱臭装置の概略構成図
【図６】本発明の実施の形態６の脱臭装置の概略構成図
【図７】本発明の実施の形態７の脱臭装置の概略構成図
【図８】本発明の実施の形態８の脱臭装置の概略構成図
【図９】本発明の実施の形態９の脱臭装置の概略構成図
【図１０】本発明の実施の形態１０の脱臭装置の概略構成図
【図１１】本発明の実施の形態１１の脱臭装置の概略構成図
【図１２】本発明の実施の形態１２の脱臭装置の概略構成図
【図１３】本発明の実施の形態１３の脱臭装置の概略構成図
【図１４】本発明の実施の形態１４の脱臭装置の概略構成図
【図１５】本発明の実施の形態１５の脱臭装置の概略構成図
【図１６】本発明の実施の形態１６の脱臭装置の概略構成図
【図１７】本発明の実施の形態１７の脱臭装置の上面図
【図１８】本発明の実施の形態１８の脱臭装置の概略構成図
【図１９】本発明の実施の形態１９の脱臭装置の概略構成図
【図２０】本発明の実施の形態２０の脱臭装置の概略構成図
【図２１】従来技術の脱臭装置の概略構成図
【符号の説明】
【０１１４】
Ａ      脱臭装置
Ｂ      脱臭装置
１      枠体
１ａ    開口部
１ｂ    送り出し部
１ｃ    巻き取り部
１ｄ    第２開口部
２      気化フィルター
２ａ    吸着面
３      巻き取りモータ
４      脱臭剤溶液
５      熱源
６      シャッター
７      臭いセンサー
８      供給タンク
９      滴下装置
１０    第２滴下装置
１１    芳香成分入り溶液
１２    消臭成分入り溶液
１３    タイマー
１４    送風機
１５    脱臭剤
１６    気化剤
１７    脱臭成分
１８    空気に暴露しない部分
１９    空気に暴露する部分
１０１  本体
１０２  開口部
１０３  気化テープ
１０４  駆動部
【図１】
2008092997.tif 000003
【図２】
2008092997.tif 000004
【図３】
2008092997.tif 000005
【図４】
2008092997.tif 000006
【図５】
2008092997.tif 000007
【図６】
2008092997.tif 000008
【図７】
2008092997.tif 000009
【図８】
2008092997.tif 000010
【図９】
2008092997.tif 000011
【図１０】
2008092997.tif 000012
【図１１】
2008092997.tif 000013
【図１２】
2008092997.tif 000014
【図１３】
2008092997.tif 000015
【図１４】
2008092997.tif 000016
【図１５】
2008092997.tif 000017
【図１６】
2008092997.tif 000018
【図１７】
2008092997.tif 000019
【図１８】
2008092997.tif 000020
【図１９】
2008092997.tif 000021
【図２０】
2008092997.tif 000022
【図２１】
2008092997.tif 000023